(57)【要約】【課題】撮像対象の外縁をユーザが明確に確認することができる電子機器を提供する。【解決手段】電子機器は、撮像部と、撮像部によって取得される画像を表示する表示部と、表示部を囲う枠部と、表示部と枠部との間の境界領域を強調する強調部とを備える。【選択図】図２
2018078368.tif 000002
【特許請求の範囲】
【請求項１】
撮像部と、
前記撮像部によって取得される画像を表示する表示部と、
前記表示部を囲う枠部と、
前記表示部と前記枠部との間の境界領域を強調する強調部と
を備える、電子機器。
【請求項２】
前記境界領域は、前記枠部に含まれる、請求項１に記載の電子機器。
【請求項３】
前記境界領域は、前記表示部に含まれる、請求項１に記載の電子機器。
【請求項４】
前記強調部は、前記境界領域の輝度または色を変更する、請求項１から３のいずれか一項に記載の電子機器。
【請求項５】
照度を検知する検知部をさらに備え、
前記強調部は、前記検知部で検知された照度に応じて前記輝度または色を変更する、請求項４に記載の電子機器。
【請求項６】
前記強調部は、前記検知部で検知された照度が低いほど、前記輝度を高く変更する、または、前記色を明るい色に変更する、請求項５に記載の電子機器。
【請求項７】
前記強調部は、前記検知部で検知された照度が高いほど、前記輝度を低く変更する、または、前記色を暗い色に変更する、請求項５に記載の電子機器。
【請求項８】
前記強調部は、前記境界領域に隣接する領域に表示される画像に基づいて、前記境界領域の輝度または色を変更する、請求項４に記載の電子機器。
【請求項９】
前記強調部は、前記境界領域の輝度または色を、前記境界領域に隣接する領域に表示される画像とは異なる輝度または色に変更する、請求項８に記載の電子機器。
【請求項１０】
前記強調部は、前記境界領域の色を、前記境界領域に隣接する領域に表示される画像の補色に変更する、請求項８または９に記載の電子機器。
【請求項１１】
撮像装置と通信可能な電子機器であって、
前記撮像装置によって取得される画像を表示する表示部と、
前記表示部を囲う枠部と、
前記表示部と前記枠部との間の境界領域を強調する強調部と
を備える、電子機器。
【請求項１２】
撮像部と、前記撮像部によって取得される画像を表示する表示部と、前記表示部を囲う枠部とを備える電子機器の制御方法であって、
所定の条件を満たしたかを判定するステップと、
前記所定の条件を満たした場合、前記表示部と前記枠部との間の境界領域を強調するステップと
を含む、電子機器の制御方法。
【請求項１３】
撮像装置と通信可能な電子機器であって、前記撮像装置によって取得される画像を表示する表示部と、前記表示部を囲う枠部とを備える電子機器の制御方法であって、
所定の条件を満たしたかを判定するステップと、
前記所定の条件を満たした場合、前記表示部と前記枠部との間の境界領域を強調するステップと
を含む、電子機器の制御方法。
【請求項１４】
撮像部と、前記撮像部によって取得される画像を表示する表示部と、前記表示部を囲う枠部とを備える電子機器の制御方法をコンピュータに実行させるためのプログラムであって、
所定の条件を満たしたかを判定するステップと、
前記所定の条件を満たした場合、前記表示部と前記枠部との間の境界領域を強調するステップと
を実行させるためのプログラム。
【請求項１５】
撮像装置と通信可能な電子機器であって、前記撮像装置によって取得される画像を表示する表示部と、前記表示部を囲う枠部とを備える電子機器の制御方法をコンピュータに実行させるためのプログラムであって、
所定の条件を満たしたかを判定するステップと、
前記所定の条件を満たした場合、前記表示部と前記枠部との間の境界領域を強調するステップと
を実行させるためのプログラム。
【発明の詳細な説明】
【技術分野】
【０００１】
本発明は、電子機器、電子機器の制御方法、およびプログラムに関する。
【背景技術】
【０００２】
近年、様々な電子機器で画像を撮像することが可能となっている。一眼レフカメラ、ミラーレスカメラ、およびコンパクトデジタルカメラなどの各種の撮像装置のほか、スマートフォンおよびタブレット端末などの各種の情報端末装置を用いて画像を撮像することが可能できる。
【０００３】
これらの電子機器の多くは、液晶モニタを備えている。液晶モニタには、撮像対象の画像が表示される。ユーザは、この液晶モニタに表示されている画像を見ながら適切なタイミングで撮像指示を電子機器に入力することで、所望する画像（画像データ）をメモリに記録することができる。
【０００４】
特許文献１には、液晶モニタに表示されている画像の合焦状態をユーザが確認することを補助する技術が開示されている。
【先行技術文献】
【特許文献】
【０００５】
【特許文献１】特開２０１３−１６２４２０号公報
【発明の概要】
【発明が解決しようとする課題】
【０００６】
液晶モニタの周りを囲むベゼルと呼ばれる枠には、黒色などの暗色が用いられる場合がある。暗い場所で撮像対象の画像をこのような液晶モニタに表示すると、枠部分と画像との境界が不明確となる。そのため、撮像対象の外縁をユーザが明確に確認することができないという問題がある。
【０００７】
そこで、本発明は、撮像対象の外縁をユーザに明確に確認させることができる電子機器、電子機器の制御方法、およびプログラムを提供することを目的とする。
【課題を解決するための手段】
【０００８】
本発明の一態様に係る電子機器は、撮像部と、撮像部によって取得される画像を表示する表示部と、表示部を囲う枠部と、表示部と枠部との間の境界領域を強調する強調部とを備える。
【０００９】
本発明の一態様に係る電子機器の制御方法は、撮像部と、撮像部によって取得される画像を表示する表示部と、表示部を囲う枠部とを備える電子機器の制御方法であって、所定の条件を満たしたかを判定するステップと、所定の条件を満たした場合、表示部と枠部との間の境界領域を強調するステップとを含む。
【００１０】
本発明の一態様に係るプログラムは、撮像部と、撮像部によって取得される画像を表示する表示部と、表示部を囲う枠部とを備える電子機器の制御方法をコンピュータに実行させるためのプログラムであって、所定の条件を満たしたかを判定するステップと、所定の条件を満たした場合、表示部と枠部との間の境界領域を強調するステップとを実行させるためのプログラムである。
【００１１】
これらの態様によれば、表示部と枠部との間の境界領域が強調される。したがって、表示部と枠部との間の境界が明確となる。このため、ユーザが、表示部に表示されている画像を見ながら撮像対象を決める場合において、撮像対象の外縁をユーザに明確に確認させることが可能となる。
【００１２】
上記の境界領域は、枠部に含まれてよい。
【００１３】
このような構成によれば、枠部に含まれる境界領域を強調する処理を行うことにより、表示部と枠部との間の境界が明確となる。
【００１４】
上記の境界領域は、表示部に含まれてよい。
【００１５】
このような構成によれば、表示部に含まれる境界領域を強調する処理を行うことにより、表示部と枠部との間の境界が明確となる。
【００１６】
強調部は、境界領域の輝度または色を変更してもよい。
【００１７】
このような構成によれば、境界領域の明るさや色合いが変わる。このため、表示部と枠部との間の境界が明確となる。
【００１８】
電子機器は、照度を検知する検知部をさらに備えてよい。そして、強調部は、検知部で検知された照度に応じて輝度または色を変更してもよい。
【００１９】
このような構成によれば、電子機器の周囲の環境光に応じて境界領域の明るさや色合いが変わる。このため、表示部と枠部との間の境界が、周囲の環境光の状態に応じて明確となる。
【００２０】
強調部は、検知部で検知された照度が低いほど、輝度を高く変更してもよく、または、色を明るい色に変更してもよい。
【００２１】
このような構成によれば、電子機器の周囲が暗いほど、境界領域の明るさが明るく変更される、または、色合いが明るくなる。したがって、表示部と枠部との間の境界が、周囲の環境光の状態に応じて明確となる。
【００２２】
強調部は、検知部で検知された照度が高いほど、輝度を低く変更してもよく、または、色を暗い色に変更してもよい。
【００２３】
このような構成によれば、電子機器の周囲が明るいほど、境界領域の明るさが暗く変更される、または、色合いが暗くなる。したがって、表示部と枠部との間の境界が、周囲の環境光の状態に応じて明確となる。
【００２４】
強調部は、境界領域に隣接する領域に表示される画像に基づいて、境界領域の輝度または色を変更してもよい。
【００２５】
このような構成によれば、撮像対象の外縁部分の画像に基づいて境界領域の明るさまたは色合いが変更される。したがって、表示部と枠部との間の境界が、撮像対象の外縁部分の画像に応じて明確となる。
【００２６】
強調部は、境界領域の輝度または色を、境界領域に隣接する領域に表示される画像とは異なる輝度または色に変更してもよい。
【００２７】
このような構成によれば、撮像対象の外縁部分の画像に基づいて境界領域の明るさまたは色合いが変更される。したがって、表示部と枠部との間の境界が、撮像対象の外縁部分の画像に応じて明確となる。
【００２８】
強調部は、境界領域の色を、境界領域に隣接する領域に表示される画像の補色に変更してもよい。
【００２９】
このような構成によれば、撮像対象の外縁部分の画像の補色に境界領域の色が変更される。したがって、したがって、表示部と枠部との間の境界が、撮像対象の外縁部分の画像に応じて明確となる。
【００３０】
本発明の一態様に係る電子機器は、撮像装置と通信可能な電子機器であって、撮像装置によって取得される画像を表示する表示部と、表示部を囲う枠部と、表示部と枠部との間の境界領域を強調する強調部とを備える。
【００３１】
本発明の一態様に係る電子機器の制御方法は、撮像装置と通信可能な電子機器であって、撮像装置によって取得される画像を表示する表示部と、表示部を囲う枠部とを備える電子機器の制御方法であって、所定の条件を満たしたかを判定するステップと、所定の条件を満たした場合、表示部と枠部との間の境界領域を強調するステップとを含む。
【００３２】
本発明の一態様に係るプログラムは、撮像装置と通信可能な電子機器であって、撮像装置によって取得される画像を表示する表示部と、表示部を囲う枠部とを備える電子機器の制御方法をコンピュータに実行させるためのプログラムであって、所定の条件を満たしたかを判定するステップと、所定の条件を満たした場合、表示部と枠部との間の境界領域を強調するステップとを実行させるためのプログラムである。
【００３３】
これらの態様によれば、撮像装置で撮像される撮像対象の画像を、電子機器を用いて遠隔で確認するような場合においても、電子機器の表示部と枠部との間の境界領域が強調される。したがって、電子機器の表示部と枠部との間の境界が明確となる。このため、遠隔の撮像装置から送信され、表示部に表示される画像をユーザが見ながら撮像対象を決める場合において、撮像対象の外縁をユーザに明確に確認させることが可能となる。
【発明の効果】
【００３４】
本発明によれば、撮像対象の外縁をユーザに明確に確認させることができる。
【図面の簡単な説明】
【００３５】
【図１】第一実施形態に係る電子機器の外観を示す図である。
【図２】図１の電子機器の構成の一例を示すブロック図である。
【図３】図１の表示部に画像が表示されている例を示す図である。
【図４】第一実施形態に係る強調処理の概要を説明する図である。
【図５】第一実施形態に係る強調処理を説明する図である。
【図６】第一実施形態に係る強調処理の実行を指示する画面の例を示す図である。
【図７】第一実施形態に係る電子機器の制御方法の一例を示すフローチャートである。
【図８】第二実施形態に係る強調処理の概要を説明する図である。
【図９】第二実施形態に係る電子機器の構成の一例を示すブロック図である。
【図１０】第二実施形態に係る強調処理を説明する図である。
【図１１】第一変形例を説明する図である。
【図１２】第二変形例を説明する図である。
【発明を実施するための形態】
【００３６】
添付図面を参照して、本発明の好適な実施形態について説明する。なお、以下の実施形態において説明する構成は一例に過ぎず、本発明は図示された構成に限定されるものではない。なお、以下の各図においては、同一又は同様の部材には、同一の符号を付している。
【００３７】
（第一実施形態）
本実施形態においては、電子機器の一例としてタブレット端末を例に挙げて説明する。なお、電子機器は、タブレット端末に限定されるものではない。例えば、一眼レフカメラ、ミラーレスカメラ、コンパクトデジタルカメラなどの各種のカメラのほか、スマートフォン、ノートブック型パーソナルコンピュータ、携帯型ゲーム機等、各種の電子機器を用いる形態であってもよい。
【００３８】
図１は、第一実施形態に係る電子機器１００の外観の一例を示す図である。電子機器１００には、その正面側に表示部１１０と枠部１２０とが備えられている。枠部１２０の一部に撮像部１３０が備えられている。背面部１４０には撮像部１３５が備えられている。図１に示す構成は例示に過ぎず、他の構成が備えられていてもよい。また、撮像部の数および配置も図１に示す例に限られるものではない。撮像部は１つでもよいし、３つ以上であってもよい。
【００３９】
表示部１１０は、液晶表示ディスプレイまたは有機ＥＬ（Electro-Luminescence）ディスプレイなどの各種のディスプレイとすることができる。表示部１１０は、各種の画像および情報などを表示する表示領域を有する。枠部１２０は、表示部１１０の周囲を囲うことで表示部１１０を保護する部材である。一般的に、枠部１２０は、白色などの明色や、黒色などの暗色の枠領域を有する。本実施形態においては、枠部１２０は、黒色の枠領域を有するものとする。枠部１２０および背面部１４０は、樹脂素材、強化繊維、または金属等で構成されることができる。
【００４０】
図２は、本実施形態に係る電子機器１００の構成の一例を示すブロック図である。電子機器１００は、表示部１１０、枠部１２０、撮像部２１０、制御部２２０、強調部２３０、検知部２４０、指示受付部２６０、記録部２７０、および記録制御部２７１を有する。
【００４１】
撮像部２１０は、レンズ２１１、撮像素子２１２、および処理部２１３を有する。撮像部２１０は、図１に示す撮像部１３０であってもよいし、撮像部１３５であってもよい。撮像素子２１２は、レンズ２１１を通じて得られた光を電気信号に変換する。処理部２１３は、撮像素子２１２で得られた電気信号に所定の画像処理を施したデータ（画像データと呼ぶ）を制御部２２０に送る。
【００４２】
制御部２２０は、撮像部２１０で取得された画像データを一時的に格納するバッファ２２１を有する。制御部２２０は、図示しないＣＰＵ、メモリなどを有することができ、メモリに格納されたソフトウェアプログラムに従って、電子機器１００の制御を行うことができる。制御部２２０は、バッファ２２１に格納された画像データを強調部２３０（表示制御部２３１）及び記録制御部２７１に送信する。
【００４３】
強調部２３０は、表示制御部２３１を有する。強調部２３０は、表示部１１０と枠部１２０との間の境界領域を強調する処理を行う。表示制御部２３１は、表示部１１０に表示する画像の制御を行う。本実施形態においては、表示制御部２３１が表示部１１０の表示を制御することで、表示部１１０と枠部１２０との間の境界領域が強調される例を説明する。詳細については後述する。
【００４４】
検知部２４０は、電子機器の周囲の照度を検知する。例えば、検知部２４０は照度センサーとすることができる。検知部２４０の検知結果は、表示制御部２３１に送られる。表示制御部２３１は、検知部２４０の検知結果に応じた表示制御を行うことができる。
【００４５】
表示部１１０は、表示制御部２３１の表示制御に従った表示を行う。
【００４６】
指示受付部２６０は、電子機器１００に対する操作指示を受け付ける。例えば指示受付部２６０は、ユーザから入力された操作指示を受け付ける。指示受付部２６０は、図示しない操作ボタンを介して入力された操作指示を受け付けてもよいし、表示部１１０に一体化されたタッチパネルを介して入力された操作指示を受け付けてもよい。あるいは、ユーザからの音声入力に応じた操作指示を受け付けてもよい。操作指示には、撮像指示が含まれる。操作指示には、その他の各種の指示が含まれてよい。指示受付部２６０が受け付けた操作指示は、制御部２２０に送られる。
【００４７】
制御部２２０は、撮像指示が送られると、記録制御部２７１に撮像指示を送信する。
【００４８】
記録制御部２７１は、制御部２２０から送られる撮像指示に基づいて、画像データを記録部２７０に記録する。かかる処理により、表示部１１０で表示されている撮像対象の画像が、記録部２７０に記録されることになる。なお、本実施形態においては、画像データが記録部２７０に記録される形態を示しているが、この形態に限られるものではない。例えば、電子機器１００は、ネットワークなどを通じてクラウドサーバと接続可能に構成されてもよい。そして、記録制御部２７１は、撮像指示が送られると、画像データをクラウドサーバに送信し、クラウドサーバに記録させる形態でもよい。
【００４９】
記録部２７０は、例えばＳＲＡＭ、ＤＲＡＭ、ＥＥＰＲＯＭ、ＵＳＢメモリなどのフラッシュメモリとすることができる。
【００５０】
図３は、撮像対象の画像が表示部１１０に表示されている具体的な例を示す図である。先に説明した通り、表示部１１０には、撮像部２１０で得られた画像が、表示制御部２３１による制御に従って表示されている。
【００５１】
図３では、ユーザが暗がりにおいて風景を撮像しようとしている場合を想定している。そして、表示部１１０に表示されている撮像対象の画像を確認しながら、適切な撮像範囲（フレーミング）をユーザが判断する。ユーザは、表示部１１０に表示されている画像が適切な撮像範囲であると判断した場合、撮像指示を電子機器１００に入力する。この撮像指示に応じて、画像データが記録部２７０に記録される。
【００５２】
ここで、図３の撮像対象は、日没直前の暗がりに浮かぶ山を含む風景である。そして、表示部１１０の左下の領域には、暗がりの湖が含まれている。本実施形態の枠部１２０は黒色の枠領域を有するので、表示部１１０と枠部１２０との境界が不明確となってしまっている。このため、撮像対象の外縁をユーザが明確に確認することができない。したがって、撮像指示を行うことで記録部２７０に記録される画像データが、ユーザの所望する画像とは異なる可能性がある。
【００５３】
なお、本実施形態では、枠部１２０が黒色の枠領域であるものとして説明するが、枠部１２０の色が完全な黒でなくても暗色系の色である場合には、やはり表示部１１０と枠部１２０との境界が不明確となる。また、ここでは風景を例に挙げたが、人物を撮像しようとする場合においても同様の問題が生じる。つまり、撮像対象の外縁が不明確であるために、例えば髪の毛が途切れた画像が撮像されてしまう場合もある。
【００５４】
また、図３の例では枠部１２０が黒色の領域であり、かつ、撮像対象の画像に黒い被写体部分が含まれている例を示しているが、逆に、枠領域の色が白色などの明色系であり、かつ、撮像対象に白い被写体（例えば雲）が含まれる場合においても、やはり境界が不明確となってしまう。
【００５５】
図４は、本実施形態における強調部２３０によって行われる強調処理の概要を説明する図である。強調部２３０は、表示部１１０と枠部１２０との間の境界領域４３０を強調する処理を行う。本実施形態において境界領域４３０は、表示部１１０に含まれる。なお、境界領域４３０の大きさは図示する例に限られるものではない。ユーザが境界を明確に確認できればよい。
【００５６】
図５は、本実施形態における強調部２３０が強調処理を行った結果の一例を示す図である。強調部２３０は、表示部１１０と枠部１２０との間の境界領域４３０を強調する処理を行う。具体的には、強調部２３０に含まれる表示制御部２３１が、表示部１１０に表示する画像を構成する一部の画素の輝度または色を変更する処理を行う。
【００５７】
なお、表示制御部２３１は、例えば表示部１１０に対応する１フレーム分のフレームバッファを有しており、制御部２２０のバッファ２２１から送られた画像データの各画素をフレームバッファに格納する。表示制御部２３１は、フレームバッファに格納される位置に応じて、表示部１１０の所定の位置に表示される画素を特定することができる。表示制御部２３１は、必要に応じてフレームバッファに格納された画素に所定の画像処理を施す。表示制御部２３１は、フレームバッファに格納された各画素が表示部１１０の対応する位置で表示されるように制御する。
【００５８】
本実施形態において表示制御部２３１は、表示部１１０の表示領域のうちの、枠部１２０に隣接する領域（境界領域）を構成する各画素の輝度または色を変更する。そして、表示制御部２３１は、変更後の各画素を表示部１１０の境界領域に表示する。このように、以下、境界領域を構成する各画素の輝度または色を変更することを、単に境界領域の輝度または色を変更すると表現する。
【００５９】
表示制御部２３１は、検知部２４０の検知結果に応じて境界領域４３０の輝度または色を変更することができる。検知部２４０は、照度を検知し、検知した照度を表示制御部２３１に送る。
【００６０】
表示制御部２３１は、検知部２４０で検知された照度が低いほど、境界領域４３０の輝度を高く変更するか、または、色を明るい色に変更することができる。検知部２４０で検知された照度が低いということは、撮像部２１０は十分な光を取り込めないことを示している。このため暗い状態の被写体が撮像対象に含まれる可能性が高い。そこで、表示制御部２３１は、境界領域４３０の輝度を高くする、または、色を明るい色に変更する。かかる処理により、表示部１１０と枠部１２０との間の境界が明確となる。したがって、撮像対象の外縁をユーザに明確に確認させることができる。
【００６１】
また、表示制御部２３１は、検知部２４０で検知された照度が高いほど、境界領域４３０の輝度を低く変更するか、または、色を暗い色に変更することができる。検知部２４０で検知された照度が高いということは、撮像部２１０は十分な光を取り込めていることを示している。このため明るい状態の被写体が撮像対象に含まれる可能性が高い。そこで、表示制御部２３１は、境界領域４３０の輝度を低くする、または、色を暗い色に変更する。かかる処理により、表示部１１０と枠部１２０との間の境界が明確となる。したがって、撮像対象の外縁をユーザに明確に確認させることができる。このような処理は、枠部１２０が白色などのような明色の領域を有している場合に効果的である。
【００６２】
別の例としては、表示制御部２３１は、境界領域４３０に隣接する領域に表示される画像に基づいて、境界領域４３０の輝度または色を変更してもよい。このような処理によれば、撮像対象の外縁部分の画像に基づいて境界領域の明るさまたは色合いが変更される。したがって、表示部１１０と枠部１２０との間の境界が、撮像対象の外縁部分の画像に応じて明確となる。一例として、表示制御部２３１は、境界領域４３０の輝度または色を、境界領域４３０に隣接する領域に表示される画像とは異なる輝度または色に変更することができる。境界領域４３０の輝度または色が、境界領域４３０に隣接する領域に表示される画像とは異なる輝度または色に変更されることで、表示部１１０と枠部１２０との境界が明確となる。したがって、撮像対象の外縁をユーザに明確に確認させることができる。
【００６３】
表示制御部２３１は、例えば境界領域４３０の色を、境界領域４３０に隣接する領域に表示される画像の補色に変更してもよい。補色に変更することにより、表示部１１０と枠部１２０との境界がより一層明確となる。表示制御部２３１は、境界領域４３０の色を、境界領域４３０に隣接する領域に表示される画像の補色の色値から所定の範囲内の色値の色に変更してもよい。
【００６４】
なお、表示制御部２３１は、境界領域４３０を構成する各画素の輝度または色を、画素ごとに変えてもよいし、境界領域４３０全体で同じ輝度または色となるように統一させてもよい。
【００６５】
画素ごとに変える場合には、表示制御部２３１は、境界領域４３０を構成する画素と境界領域４３０に隣接する領域の画素とを比較し、異なる輝度また色となるように、境界領域４３０を強調する処理を行ってもよい。
【００６６】
一方、境界領域４３０全体で同じ輝度または色となるように統一させる場合には、例えば表示制御部２３１が、制御部２２０から画像の輝度のヒストグラムまたは色のヒストグラムを受け取り、画像に最も多く含まれる輝度または色とは異なる輝度または色となるように、境界領域４３０を強調する処理を行ってもよい。
【００６７】
また、表示制御部２３１は、境界領域４３０を構成する各画素の表示のＯＮ及びＯＦＦを切り替えて点滅させることで境界領域４３０を強調してもよい。
【００６８】
また、表示制御部２３１は、境界領域４３０を所定の単位で区切り、所定の単位ごとに上記の処理を行ってもよい。所定の単位は、画素毎の単位、所定数の画素毎の単位、および画像を構成する全画素の単位であってもよい。また、境界領域４３０を構成する各画素のうちの一部の画素に対して上記で説明したような各制御を行ってもよい。
【００６９】
なお、境界領域４３０の幅（インチまたは画素数）は、図５に示すように、ユーザが境界を視認できる程度の領域であればいずれのサイズの幅であってもよい。また、境界領域４３０の幅は、上下左右で共通であってもよいし、異ならせてもよい。
【００７０】
これまでは、境界領域４３０の輝度または色を、検知部２４０で検知された照度または表示部１１０に表示される画像との関係に基づいて変更する例を説明した。しかしながら、かかる形態に限られるものではない。境界領域４３０が強調されるようにするために、枠部１２０との関係に基づいて境界領域４３０の輝度または色が変更される形態でもよい。例えば、予め枠部１２０の色を制御部２２０に含まれるメモリなどに設定しておく。そして、枠部１２０の色と異なる色に境界領域４３０の色を変更する処理を行ってもよい。典型的な処理としては、表示制御部２３１は、枠部１２０の色が暗色系であれば境界領域４３０の色を明色系の色にし、枠部１２０の色が明色系であれば境界領域４３０の色を暗色系の色にすればよい。また、例えば枠部１２０の色の補色に境界領域４３０の色を変更してもよい。かかる処理によっても、表示部１１０と枠部１２０との間の境界が明確となる。したがって、撮像対象の外縁をユーザに明確に確認させることができる。
【００７１】
なお、表示制御部２３１は、検知部で検知された照度、境界領域４３０に隣接する領域に表示される画像、および枠部１２０の色などとは無関係に、境界領域４３０を、例えば白色や青色などのように単色に変更してもよい。
【００７２】
図６は、これまで説明した強調処理を実行する指示がユーザから与えられる例を説明する図である。例えば、表示制御部２３１は、境界領域を強調するか否かをユーザに問い合わせるメッセージ６５０を表示部１１０に表示する。図６の例では、「フレーミングを確認？」のメッセージ６５０が表示されている。ここで、ユーザがメッセージ６５０を押下すると、その指示が指示受付部２６０を通じて制御部２２０に送られる。制御部２２０は、この指示を受けて、上述した境界領域を強調する処理を実行させる指示を強調部２３０（表示制御部２３１）に送る。このように、境界領域を強調するか否かをユーザが任意に指示する形態を採用してもよい。このメッセージ６５０は、撮像部２１０を起動して撮像対象の画像が表示部１１０に表示される場合に表示されてもよいし、所定の設定画面において表示されてもよいし、検知部２４０にて検知された照度が所定の範囲外であるような場合（照度が高い場合、あるいは照度が低い場合）に表示されてもよい。
【００７３】
図７は、本実施形態に係る電子機器１００の制御方法の一例を示すフローチャートである。ステップＳ７１０において表示制御部２３１は、所定の条件を満たしたかを判定する。所定の条件とは、先に説明したように、ユーザからの指示を受けたか、照度が低いか、などといった条件である。もちろん、この例に限られない。撮像部２１０が起動したことを所定の条件としてもよい。
【００７４】
ステップＳ７１０において所定の条件を満たした場合、ステップＳ７２０に進む。ステップＳ７２０において表示制御部２３１は、表示部１１０と枠部１２０との間の境界領域を強調する処理を行う。例えば、表示制御部２３１が、表示部１１０に含まれる境界領域の輝度または色を変更する処理を行う。
【００７５】
以上説明したように、本実施形態では、表示部１１０と枠部１２０との間の境界領域が強調される。かかる処理により、表示部１１０と枠部１２０との間の境界が明確となる。このため、ユーザが、表示部１１０に表示されている画像を見ながら撮像対象を決める場合において、撮像対象の外縁をユーザに明確に確認させることが可能となる。
【００７６】
（第二実施形態）
第一実施形態においては、境界領域が表示部に含まれる形態を例に挙げて説明した。本実施形態においては、境界領域が枠部に含まれる形態を例に挙げて説明する。
【００７７】
図８は、本実施形態における強調部によって行われる強調処理の概要を説明する図である。強調部は、表示部１１０と枠部８２０との間の境界領域８３０を強調する処理を行う。本実施形態において境界領域８３０は、枠部８２０に含まれる。
【００７８】
本実施形態における枠部８２０においては、その表面に電子ペーパーが設けられている。例えば電気泳動方式の電子ペーパーを用いることができる。電子ペーパーの中には、白と黒との表示を切り替えるものものあれば、フルカラーに対応するものもある。電子ペーパーは、表示中に電力を消費しない、もしくは極小の電力で済み、書き換え時に要する消費電力も小さい。また、紙のように薄い。本実施形態では、枠部８２０の輝度または色を変更することで境界領域を強調する形態について説明する。
【００７９】
図９は、本実施形態における電子機器９００の構成の一例を示すブロック図である。なお、図２と同じ構成については同じ符号を付し、説明を省略する。本実施形態においては、強調部９３０は、枠部８２０を制御する枠制御部９３１を含む構成となっている。
【００８０】
枠部８２０は、先に説明したように、例えば電子ペーパーを含む構成である。なお、本実施形態においては枠部８２０全体に電子ペーパーが設けられていてもよいし、枠部８２０のうちの表示部１１０に隣接する部分に電子ペーパーが設けられていてもよい。
【００８１】
枠制御部９３１は、枠部８２０の表示を制御する。具体的には、枠部８２０に設けられている電子ペーパーの表示制御を行う。なお、本実施形態では、枠部８２０の表面に電子ペーパーが設けられている形態を説明するが、枠部８２０の表示態様が変化することをユーザが視認できる形態であればいずれの形態でもよい。例えば、枠部８２０の前面に電子ペーパーを設け、そのさらに表面に透明のフィルム部材などが設けられていてもよい。
【００８２】
図１０は、本実施形態における強調部９３０が強調処理を行った結果の一例を示す図である。表示部１１０に表示されている画像（被写体）は、図３で説明したものと同じである。本実施形態においては、枠部８２０に含まれている境界領域（図１０の例では枠部８２０の領域と同じ領域）の輝度または色を変更することで、表示部１１０と枠部８２０との境界領域が強調される。
【００８３】
なお、枠制御部９３１は、電子ペーパーが設けられている枠部８２０のうちの全部の領域ではなく、表示部１１０に隣接する領域の輝度または色を変更してもよい。つまり、枠部８２０に設けられている電子ペーパーのうちの一部の領域の輝度または色を変更してもよい。
【００８４】
また、第一実施形態で説明した処理と同様に、枠制御部９３１は、検知部２４０の検知結果に応じて輝度または色を変更することができる。検知部２４０は、照度を検知し、検知した照度を枠制御部９３１に送る。枠制御部９３１は、検知部２４０で検知された照度が低いほど、枠部８２０（境界領域）の輝度を高く変更するか、または、色を明るい色に変更することができる。かかる処理により、表示部１１０と枠部８２０との間の境界が明確となる。したがって、撮像対象の外縁をユーザに明確に確認させることができる。
【００８５】
別の例としては、枠制御部９３１は、表示部１１０のうちの枠部８２０に隣接する領域に表示される画像（つまり、表示部１１０の外縁部分に表示される画像）に基づいて、枠部８２０の輝度または色を変更してもよい。一例として、枠制御部９３１は、枠部８２０の輝度または色を、表示部１１０の外縁部分に表示される画像とは異なる輝度または色に変更することができる。かかる処理によれば、表示部１１０と枠部８２０との間の境界が明確となる。したがって、撮像対象の外縁をユーザに明確に確認させることができる。枠制御部９３１は、枠部８２０の色を、表示部１１０の外縁部分に表示される画像の補色に変更してもよい。
【００８６】
あるいは、枠制御部９３１は、表示部１１０で表示される画像の輝度のヒストグラムまたは色のヒストグラムを制御部２２０から受け取り、画像に最も多く含まれる輝度または色とは異なる輝度または色となるように、枠部８２０の輝度または色を変更してもよい。つまり、表示部１１０で表示される全体の画像に基づいて、枠部８２０の輝度または色が決定されてもよい。
【００８７】
また、枠制御部９３１は、枠部８２０（境界領域）を点滅させることで境界領域を強調してもよいし、検知部で検知された照度および表示部１１０の外縁部分の画像などとは無関係に、枠部８２０（境界領域）を、例えば白色や青色などのように単色に変更してもよい。
【００８８】
なお、本実施形態において強調処理が行われる契機および本実施形態における電子機器の制御方法については、第一実施形態で説明したものと同様とすることができる。
【００８９】
以上説明したように、本実施形態においては、枠部８２０の輝度または色が変更可能に構成されている。そして、枠部８２０に含まれる境界領域の輝度または色を変更することにより、境界領域を強調することができる。かかる処理により表示部１１０と枠部８２０との間の境界が明確となる。したがって、撮像対象の外縁をユーザに明確に確認させることができる。
【００９０】
上記実施形態は、本発明を説明するための例示であり、本発明をその実施の形態のみに限定する趣旨ではなく、本発明は、その要旨を逸脱しない限り、さまざまな変形が可能である。
【００９１】
（第一変形例）
これまでは電子機器の例として、タブレット端末を例に挙げて説明した。第一変形例では、カメラなどの撮像装置の場合の例を説明する。図１１は、撮像装置１１００の例を示す図である。撮像装置１１００においても、液晶表示部１１１０が設けられており、液晶表示部１１１０を囲う枠部１１２０も設けられている。このように、撮像装置１１００を用いる場合であっても、第一実施形態または第二実施形態で説明した構成を採用し、第一実施形態または第二実施形態で説明した処理を行うことで、撮像対象の外縁をユーザが明確に確認することができる。
【００９２】
また、撮像装置１１００には、ファインダ１１３０が設けられている場合がある。ファインダ１１３０には、撮像素子で得られた画像を表示する電子ビューファインダ（Electronic View Finder、ＥＶＦ）や、レンズから得られる光を写し出す光学ファインダがある。本発明は、ファインダ１１３０においても適用可能である。例えば、ファインダ内において枠を形成する部分に電子ペーパーを設けて、第二実施形態で説明した処理と同様の処理を行えばよい。あるいは、電子ビューファインダの場合には、ファインダ１１３０に表示される画像の外縁部分を境界領域として扱い、第一実施形態で説明した処理と同様の処理を行えばよい。
【００９３】
（第二変形例）
図１２は、別の変形例を示す図である。撮像装置の中には、通信機能を備えているものがある。第二変形例では、このような撮像装置１２１０と連携する電子機器１２２０を説明する。電子機器１２２０は、撮像装置１２１０と通信可能である。
【００９４】
例えば撮像装置１２１０を所定の場所に設置する。そして、撮像装置１２１０の撮像素子で得られた画像を、通信を介して電子機器１２２０の表示部１２２１で表示する形態がある。そして、ユーザが電子機器１２２０を通じて撮像指示を行うと、撮像装置１２１０において撮像が行われ、撮像装置１２１０の記録部に画像が記録される。第一実施形態または第二実施形態で説明した処理は、図１２に示すような形態においても適用することができる。つまり、電子機器１２２０の表示部１２２１と枠部１２２２との間の境界領域を強調する処理を適用することができる。なお、検知部２４０は、撮像装置１２１０の周囲の照度を検知することが好ましいが、電子機器１２２０の周囲の照度を検知する形態でもよい。
【００９５】
また、図１２のような通信機能を備えた撮像装置１２１０で得られた画像を電子機器１２２０で表示する形態の場合、電子機器１２２０と撮像装置１２１０との間で通信が確立されたことを契機に境界領域を強調する処理が行われてもよい。あるいは、強調処理を実行させる指示がユーザから入力されたことを契機に境界領域を強調する処理が行われてもよい。
【符号の説明】
【００９６】
１００、９００……電子機器、１１０……表示部、１２０、８２０……枠部、
１３０、１３５、２１０……撮像部、１４０……背面部、２１１……レンズ、
２１２……撮像素子、２１３……処理部、２２０……制御部、２２１……バッファ、
２３０、９３０……強調部、２３１……表示制御部、２４０……検知部、
２６０……指示受付部、２７０……記録部、２７１……記録制御部、９３１……枠制御部
【図１】
2018078368.tif 000003
【図２】
2018078368.tif 000004
【図３】
2018078368.tif 000005
【図４】
2018078368.tif 000006
【図５】
2018078368.tif 000007
【図６】
2018078368.tif 000008
【図７】
2018078368.tif 000009
【図８】
2018078368.tif 000010
【図９】
2018078368.tif 000011
【図１０】
2018078368.tif 000012
【図１１】
2018078368.tif 000013
【図１２】
2018078368.tif 000014